(57)【特許請求の範囲】
【請求項１】
警報を発するべき状態にある旨の指標となる基準音が音センサにより検出されたときに警報器から警報が発せられるオートアラーム装置とともに車両に搭載されるオーディオ制御装置であって、
車両から離れた地点から遠隔操作により車載エンジンを駆動させる暖機運転の開始を要求するために対応する通信端末から送信されてくる暖機運転開始要求信号を取得したとき、基準音と一致する音が車載オーディオ機器から鳴らないように車載オーディオ機器を制御する制御手段を備えていることを特徴とするオーディオ制御装置。
【請求項２】
請求項１に記載のオーディオ制御装置において、
暖機運転開始要求信号が制御手段により取得されたとき、暖機運転を開始する暖機運転制御手段と、
車載オーディオ機器を制御するオーディオ制御手段とを備え、
暖機運転制御手段は、暖機運転開始要求信号が制御手段により取得されたとき、暖機運転を開始する旨を示す暖機運転開始信号をオーディオ制御手段に出力し、
オーディオ制御手段は、暖機運転制御手段から暖機運転開始信号が入力されたとき、基準音と一致する音が車載オーディオ機器から鳴らないように車載オーディオ機器を制御することを特徴とするオーディオ制御装置。
【請求項３】
請求項２に記載のオーディオ制御装置において、
オーディオ制御手段は、暖機運転制御手段から暖機運転開始信号が入力されたとき、車載オーディオ機器に対する給電を禁止することを特徴とするオーディオ制御装置。
【請求項４】
請求項２に記載のオーディオ制御装置において、
オーディオ制御手段は、暖機運転制御手段から暖機運転開始信号が入力されたとき、車載オーディオ機器から音が鳴らない態様で車載オーディオ機器を作動させることを特徴とするオーディオ制御装置。
【請求項５】
請求項１に記載のオーディオ制御装置において、
暖機運転開始要求信号が制御手段により取得されたとき、暖機運転を開始する暖機運転制御手段と、
車載オーディオ機器を制御するオーディオ制御手段とを備え、
暖機運転制御手段は、暖機運転開始要求信号が制御手段により取得されたとき、オーディオ制御手段に対する給電を禁止することを特徴とするオーディオ制御装置。
【発明の詳細な説明】
【技術分野】
【０００１】
本発明は、車載オーディオ機器を制御するオーディオ制御装置に関し、詳しくは、警報を発するべき状態にある場合に警報器から警報が発せられるオートアラーム装置とともに車両に搭載されるオーディオ制御装置に関する。
【背景技術】
【０００２】
特許文献１には、エンジンリモートスタートシステムが適用されている車両に対してオートアラーム装置を搭載する技術が開示されている。
特許文献１で開示されているエンジンリモートスタートシステムとは、対応する携帯機のスタートスイッチが操作されたときにエンジン始動／停止制御装置により車載エンジンの始動を許可するものである。従って、このようなエンジンリモートスタートシステムが適用されている車両によると、ユーザは、冬場のいわゆる暖機運転を目的として、車両から離れた地点から遠隔操作により車載エンジンを始動させることができる。
【０００３】
一方、特許文献１で開示されているオートアラーム装置とは、駐車時に傾斜センサにより検出された傾斜角度に対して所定の閾値を超えた角度変化が検出された場合に、車両が警報を発するべき状態にあるものとして警報器から警報が発せられるものである。従って、このようなオートアラーム装置が搭載されている車両によると、車両の盗難を図ろうとする第三者により所定の閾値を超える角度変化で車両が傾斜されたときに警報を発することができる。
【０００４】
ここで、エンジンリモートスタートシステムが適用されている車両に対してオートアラーム装置が搭載されている場合、対応する携帯機のスタートスイッチが操作されて車載エンジンが始動されたとき、エンジン駆動中に生じる車両の揺れに起因して警報器から誤って警報が発せられる虞がある。そこで、このような問題点を解消する技術が特許文献１に開示されている。
【０００５】
尚、オートアラーム装置の別の例として、車載ウィンドウガラスが破壊されるときの音が侵入センサにより検出された場合に不正侵入があったものとみなして警報を発するものも提案されている。
【特許文献１】特開２００５−１１２１７８号公報
【発明の開示】
【発明が解決しようとする課題】
【０００６】
しかしながら、エンジンリモートスタートシステムが適用されている車両に対して侵入センサを用いたオートアラーム装置が搭載されている場合、次のような問題がある。即ち、オーディオスイッチがＯＮのままエンジンが停止された後、暖機運転に際してスタートスイッチが操作されたとき、暖機運転中に車載オーディオ機器が作動する。そうすると、車載ウィンドウガラスが破壊されるときの音に似た音が車載オーディオ機器から鳴ったとき、警報器から誤って警報が発せられる虞がある。
【０００７】
本発明は、このような問題点に着目してなされたものであって、その目的は、オートアラーム装置による誤警報を防止することが可能なオーディオ制御装置を提供することにある。
【課題を解決するための手段】
【０００８】
上記の目的を達成するために、請求項１に記載の発明は、警報を発するべき状態にある旨の指標となる基準音が音センサにより検出されたときに警報器から警報が発せられるオートアラーム装置とともに車両に搭載されるオーディオ制御装置であって、車両から離れた地点から遠隔操作により車載エンジンを駆動させる暖機運転の開始を要求するために対応する通信端末から送信されてくる暖機運転開始要求信号を取得したとき、基準音と一致する音が車載オーディオ機器から鳴らないように車載オーディオ機器を制御する制御手段を備えていることをその要旨としている。
【０００９】
同構成によると、暖機運転開始要求信号が制御手段により取得されたとき、基準音と一致する音が車載オーディオ機器から鳴らないように車載オーディオ機器が制御手段により制御される。このため、暖機運転中に車載オーディオ機器から鳴る音が原因で警報器から誤って警報が発せられることが回避される。従って、オートアラーム装置による誤警報を防止することができる。
【００１０】
請求項２に記載の発明は、請求項１に記載のオーディオ制御装置において、暖機運転開始要求信号が制御手段により取得されたとき、暖機運転を開始する暖機運転制御手段と、車載オーディオ機器を制御するオーディオ制御手段とを備え、暖機運転制御手段は、暖機運転開始要求信号が制御手段により取得されたとき、暖機運転を開始する旨を示す暖機運転開始信号をオーディオ制御手段に出力し、オーディオ制御手段は、暖機運転制御手段から暖機運転開始信号が入力されたとき、基準音と一致する音が車載オーディオ機器から鳴らないように車載オーディオ機器を制御することをその要旨としている。
【００１１】
同構成によると、暖機運転開始要求信号が制御手段により取得されたとき、暖機運転制御手段により暖機運転が開始される。そして、このとき、暖機運転制御手段からオーディオ制御手段に暖機運転開始信号が出力される。すると、基準音と一致する音が車載オーディオ機器から鳴らないように車載オーディオ機器がオーディオ制御手段により制御される。このため、暖機運転中に車載オーディオ機器から鳴る音が原因で警報器から誤って警報が発せられることが回避される。従って、オートアラーム装置による誤警報を防止することができる。
【００１２】
請求項３に記載の発明は、請求項２に記載のオーディオ制御装置において、オーディオ制御手段は、暖機運転制御手段から暖機運転開始信号が入力されたとき、車載オーディオ機器に対する給電を禁止することをその要旨としている。
【００１３】
同構成によると、暖機運転制御手段からオーディオ制御手段に暖機運転開始信号が入力されたとき、オーディオ制御手段により車載オーディオ機器に対する給電が禁止される。つまり、このとき、車載オーディオ機器は作動されない。このため、暖機運転中に車載オーディオ機器から鳴る音（この場合、鳴らない）が原因で警報器から誤って警報が発せられることが確実に回避される。従って、オートアラーム装置による誤警報を確実に防止することができる。
【００１４】
請求項４に記載の発明は、請求項２に記載のオーディオ制御装置において、オーディオ制御手段は、暖機運転制御手段から暖機運転開始信号が入力されたとき、車載オーディオ機器から音が鳴らない態様で車載オーディオ機器を作動させることをその要旨としている。
【００１５】
同構成によると、暖機運転制御手段からオーディオ制御手段に暖機運転開始信号が入力されたとき、オーディオ制御手段により車載オーディオ機器から音が鳴らない態様で車載オーディオ機器が作動される。つまり、このとき、車載オーディオ機器は無音で作動される。このため、暖機運転中に車載オーディオ機器から鳴る音（この場合、車載オーディオ機器は作動しているが周囲に音は響かない）が原因で警報器から誤って警報が発せられることが確実に回避される。従って、オートアラーム装置による誤警報を確実に防止することができる。
【００１６】
請求項５に記載の発明は、請求項１に記載のオーディオ制御装置において、暖機運転開始要求信号が制御手段により取得されたとき、暖機運転を開始する暖機運転制御手段と、車載オーディオ機器を制御するオーディオ制御手段とを備え、暖機運転制御手段は、暖機運転開始要求信号が制御手段により取得されたとき、オーディオ制御手段に対する給電を禁止することをその要旨としている。
【００１７】
同構成によると、暖機運転開始要求信号が制御手段により取得されたとき、暖機運転制御手段により暖機運転が開始される。そして、このとき、暖機運転制御手段によりオーディオ制御手段に対する給電が禁止される。そして、これにより、車載オーディオ機器は作動されない。このため、暖機運転中に車載オーディオ機器から鳴る音（この場合、鳴らない）が原因で警報器から誤って警報が発せられることが確実に回避される。従って、オートアラーム装置による誤警報を確実に防止することができる。
【発明の効果】
【００１８】
本発明は、以上のように構成されているため、次のような効果を奏する。
本発明によれば、オートアラーム装置による誤警報を防止することができる。
【発明を実施するための最良の形態】
【００１９】
以下、本発明を具体化した一実施形態を説明する。
図１に示すように、本実施形態の自動車には、エンジンリモートスタートシステム１が適用されているとともに、オートアラーム装置２が搭載されている。
【００２０】
まず、エンジンリモートスタートシステム１について説明する。エンジンリモートスタートシステム１は、携帯機１０と暖機運転制御装置２０とを備えている。携帯機１０は、自動車の所有者によって所持されるものである。暖機運転制御装置２０は、自動車側に設けられるものである。
【００２１】
携帯機１０は、無線通信による送信機能を有している。携帯機１０は、暖機運転開始スイッチ１１、暖機運転停止スイッチ１２、マイコン１３、送信回路１４、送信アンテナ１５を備えている。
【００２２】
暖機運転開始スイッチ１１は、自動車から離れた地点（本実施形態では、自動車から最長で約１０ｍ離れた地点）から遠隔操作により車載エンジンを駆動させたい場合に操作されるものである。つまり、暖機運転開始スイッチ１１は、車外に居ながら暖機運転を開始させたい場合に操作されるものである。暖機運転開始スイッチ１１は、携帯機１０の外部から押圧操作可能なボタンを備えたプッシュスイッチである。暖機運転開始スイッチ１１は、ボタンが押圧操作されたとき、暖機運転を開始させるためのトリガとなる操作が行われた旨の検出信号をマイコン１３に出力する。
【００２３】
暖機運転停止スイッチ１２は、自動車から離れた地点（本実施形態では、自動車から最長で約１０ｍ離れた地点）から遠隔操作により車載エンジンの駆動を停止させたい場合に操作されるものである。つまり、暖機運転停止スイッチ１２は、車外に居ながら暖機運転を停止させたい場合に操作されるものである。暖機運転停止スイッチ１２は、携帯機１０の外部から押圧操作可能なボタンを備えたプッシュスイッチである。暖機運転停止スイッチ１２は、ボタンが押圧操作されたとき、暖機運転を停止させるためのトリガとなる操作が行われた旨の検出信号をマイコン１３に出力する。
【００２４】
マイコン１３は、不揮発性のメモリ１３ａを備えている。メモリ１３ａには、携帯機１０毎に個別に設定されているＩＤコード（携帯機１０のＩＤコード）が記憶されている。マイコン１３は、暖機運転開始スイッチ１１から検出信号が入力されたとき、暖機運転制御装置２０に対して暖機運転の開始を要求するために、暖機運転の開始を要求する旨の操作コード（暖機運転開始要求用操作コード）と携帯機１０のＩＤコードとを含む信号（暖機運転開始要求用ＩＤコード信号）を生成する。そして、この場合、マイコン１３は、暖機運転開始要求用ＩＤコード信号を送信回路１４に出力する。
【００２５】
送信回路１４は、マイコン１３から暖機運転開始要求用ＩＤコード信号が入力されたとき、暖機運転開始要求用ＩＤコード信号を所定周波数（本実施形態では３００ＭＨｚ）の電波に変調する。送信アンテナ１５は、送信回路１４により変調された暖機運転開始要求用ＩＤコード信号を送信するための媒体である。
【００２６】
また、マイコン１３は、暖機運転停止スイッチ１２から検出信号が入力されたとき、暖機運転制御装置２０に対して暖機運転の停止を要求するために、暖機運転の停止を要求する旨の操作コード（暖機運転停止要求用操作コード）と携帯機１０のＩＤコードとを含む信号（暖機運転停止要求用ＩＤコード信号）を生成する。そして、この場合、マイコン１３は、暖機運転停止要求用ＩＤコード信号を送信回路１４に出力する。送信回路１４は、マイコン１３から暖機運転停止要求用ＩＤコード信号が入力されたとき、暖機運転停止要求用ＩＤコード信号を所定周波数（本実施形態では３００ＭＨｚ）の電波に変調する。送信アンテナ１５は、送信回路１４により変調された暖機運転停止要求用ＩＤコード信号を送信するための媒体としても機能する。
【００２７】
暖機運転制御装置２０は、無線通信による受信機能を有している。暖機運転制御装置２０は、受信アンテナ２１、受信回路２２、リモートスタート電子制御ユニット（以下、リモートスタートＥＣＵと称す）２３を備えている。
【００２８】
受信アンテナ２１は、携帯機１０から送信されてくる暖機運転開始要求用ＩＤコード信号や暖機運転停止要求用ＩＤコード信号を受信するための媒体である。受信回路２２は、受信アンテナ２１により暖機運転開始要求用ＩＤコード信号が受信されたとき、暖機運転開始要求用ＩＤコード信号を復調して第１の受信信号を生成する。そして、この場合、受信回路２２は、第１の受信信号をリモートスタートＥＣＵ２３に出力する。尚、第１の受信信号には、暖機運転開始要求用操作コードと携帯機１０のＩＤコードとが含まれている。
【００２９】
また、受信回路２２は、受信アンテナ２１により暖機運転停止要求用ＩＤコード信号が受信されたとき、暖機運転停止要求用ＩＤコード信号を復調して第２の受信信号を生成する。そして、この場合、受信回路２２は、第２の受信信号をリモートスタートＥＣＵ２３に出力する。尚、第２の受信信号には、暖機運転停止要求用操作コードと携帯機１０のＩＤコードとが含まれている。
【００３０】
リモートスタートＥＣＵ２３は、不揮発性のメモリ２３ａを備えている。メモリ２３ａには、対応する携帯機１０のＩＤコードと同一のＩＤコード（基準ＩＤコード）が記憶されている。リモートスタートＥＣＵ２３は、受信回路２２から第１の受信信号が入力されたとき、対応する携帯機１０が利用されて暖機運転を開始させるためのトリガとなる操作が行われた旨を認識する。そして、この場合、リモートスタートＥＣＵ２３は、車載エンジン３０を始動させる。つまり、この場合、リモートスタートＥＣＵ２３は、暖機運転を開始する。
【００３１】
また、リモートスタートＥＣＵ２３は、受信回路２２から第２の受信信号が入力されたとき、対応する携帯機１０が利用されて暖機運転を停止させるためのトリガとなる操作が行われた旨を認識する。そして、この場合、リモートスタートＥＣＵ２３は、車載エンジン３０の駆動を停止させる。つまり、この場合、リモートスタートＥＣＵ２３は、暖機運転を停止する。
【００３２】
次いで、オートアラーム装置２について説明する。オートアラーム装置２は、侵入センサ４１、セキュリティ電子制御ユニット（以下、セキュリティＥＣＵと称す）４２、警報器４３を備えている。
【００３３】
侵入センサ４１は、車載ウィンドウガラスが破壊されるときの音を検出するためのものである。侵入センサ４１は、車載ウィンドウガラスが破壊されるときの音を検出したとき、車載ウィンドウガラスが破壊された旨を示す検出信号をセキュリティＥＣＵ４２に出力する。
【００３４】
セキュリティＥＣＵ４２は、侵入センサ４１から車載ウィンドウガラスが破壊された旨を示す検出信号が入力されたとき、車載ウィンドウガラスが破壊された旨を認識する。そして、この場合、警報を発するべき状態に自動車が置かれていると言える。従って、この場合、セキュリティＥＣＵ４２は、警報器４３に警報指令信号を出力する。車載ホーンよりなる警報器４３は、セキュリティＥＣＵ４２から警報指令信号が入力されたとき、鳴動する。
【００３５】
このようにオートアラーム装置２は、車載ウィンドウガラスが破壊されるときの音（警報を発するべき状態にある旨の指標となる基準音）が侵入センサ４１（音センサ）により検出されたときに警報器４３から警報が発せられるものである。言い換えると、オートアラーム装置２は、警報を発するべき状態に自動車が置かれているとき、警報を発するべき状態に自動車が置かれている旨を自動車の周辺に亘って報知するものである。
【００３６】
次に、本実施形態の特徴点について説明する。
さて、リモートスタートＥＣＵ２３には、オーディオ電子制御ユニット（以下、オーディオＥＣＵと称す）５０が電気的に接続されている。オーディオＥＣＵ５０は、車載オーディオ機器６０を制御するものである。車載オーディオ機器６０は、カーラジオ、カーステレオ、カーナビゲーションシステム等を含む。
【００３７】
そして、リモートスタートＥＣＵ２３は、受信回路２２から第１の受信信号が入力されたとき、既に説明したように暖機運転を開始するが、同リモートスタートＥＣＵ２３は、このとき、暖機運転を開始する旨を示す暖機運転開始信号をオーディオＥＣＵ５０に出力する。オーディオＥＣＵ５０は、リモートスタートＥＣＵ２３から暖機運転開始信号が入力されたとき、車載オーディオ機器６０に対する給電を禁止する。つまり、このとき、車載オーディオ機器６０は作動されない。言い換えると、この場合、基準音と一致する音が車載オーディオ機器６０から鳴らないように車載オーディオ機器６０が制御される。
【００３８】
本実施形態では、リモートスタートＥＣＵ２３とオーディオＥＣＵ５０とによりオーディオ制御装置３が構成されている。つまり、本実施形態の自動車には、オートアラーム装置２とともにオーディオ制御装置３が搭載されている。尚、リモートスタートＥＣＵ２３とオーディオＥＣＵ５０とにより制御手段が構成されている。そして、リモートスタートＥＣＵ２３により暖機運転制御手段が構成されている。一方、オーディオＥＣＵ５０によりオーディオ制御手段が構成されている。
【００３９】
以上、詳述したように本実施形態によれば、次のような作用、効果を得ることができる。
（１）暖機運転開始要求用ＩＤコード信号が暖機運転制御装置２０により受信されたとき、基準音と一致する音が車載オーディオ機器６０から鳴らないように車載オーディオ機器６０が制御される。つまり、暖機運転開始要求信号（暖機運転開始要求用ＩＤコード信号に関連する第１の受信信号）が制御手段（リモートスタートＥＣＵ２３、オーディオＥＣＵ５０）により取得されたとき、基準音と一致する音が車載オーディオ機器６０から鳴らないように車載オーディオ機器６０が制御手段により制御される。このため、暖機運転中に車載オーディオ機器６０から鳴る音が原因で警報器４３から誤って警報が発せられることが回避される。従って、オートアラーム装置２による誤警報を防止することができる。
【００４０】
（２）暖機運転開始要求信号（第１の受信信号）が制御手段（リモートスタートＥＣＵ２３、オーディオＥＣＵ５０）により取得されたとき、リモートスタートＥＣＵ２３により暖機運転が開始される。そして、このとき、リモートスタートＥＣＵ２３からオーディオＥＣＵ５０に暖機運転開始信号が出力される。すると、基準音と一致する音が車載オーディオ機器６０から鳴らないように車載オーディオ機器６０がオーディオＥＣＵ５０により制御される。このため、暖機運転中に車載オーディオ機器６０から鳴る音が原因で警報器４３から誤って警報が発せられることが回避される。従って、オートアラーム装置２による誤警報を防止することができる。
【００４１】
（３）リモートスタートＥＣＵ２３からオーディオＥＣＵ５０に暖機運転開始信号が入力されたとき、オーディオＥＣＵ５０により車載オーディオ機器６０に対する給電が禁止される。つまり、このとき、車載オーディオ機器６０は作動されない。このため、暖機運転中に車載オーディオ機器６０から鳴る音（この場合、鳴らない）が原因で警報器４３から誤って警報が発せられることが確実に回避される。従って、オートアラーム装置２による誤警報を確実に防止することができる。
【００４２】
（４）携帯機１０の暖機運転開始スイッチ１１が操作されることに基づく暖機運転中にあっては、ユーザは車内に居ない。従って、このような状況下において車載オーディオ機器６０が作動されなくても何ら不都合が生じないことは勿論である。
【００４３】
尚、前記実施形態は、次のように変更して具体化することも可能である。
・リモートスタートＥＣＵ２３からオーディオＥＣＵ５０に暖機運転開始信号が入力されたときにおいて、オーディオＥＣＵ５０が基準音と一致する音が車載オーディオ機器６０から鳴らないように車載オーディオ機器６０を制御する態様は、オーディオＥＣＵ５０が車載オーディオ機器６０に対する給電を禁止する態様に限定されない。つまり、図２に示すように、リモートスタートＥＣＵ２３からオーディオＥＣＵ５０に暖機運転開始信号が入力されたときにおいて、オーディオＥＣＵ５０が車載オーディオ機器６０から音が鳴らない態様で車載オーディオ機器６０を作動させる構成を採用してもよい。
【００４４】
この構成によると、リモートスタートＥＣＵ２３からオーディオＥＣＵ５０に暖機運転開始信号が入力されたとき、オーディオＥＣＵ５０により車載オーディオ機器６０から音が鳴らない態様で車載オーディオ機器６０が作動される。つまり、このとき、車載オーディオ機器６０は無音で作動される。このため、暖機運転中に車載オーディオ機器６０から鳴る音（この場合、車載オーディオ機器６０は作動しているが周囲に音は響かない）が原因で警報器４３から誤って警報が発せられることが確実に回避される。従って、オートアラーム装置２による誤警報を確実に防止することができる。
【００４５】
・暖機運転開始要求信号（第１の受信信号）が制御手段（リモートスタートＥＣＵ２３、オーディオＥＣＵ５０）により取得されたときにおいて、制御手段が基準音と一致する音が車載オーディオ機器６０から鳴らないように車載オーディオ機器６０を制御する態様は、オーディオＥＣＵ５０が車載オーディオ機器６０を制御する態様に限定されない。つまり、図３に示すように、暖機運転開始要求信号（第１の受信信号）が制御手段（リモートスタートＥＣＵ２３、オーディオＥＣＵ５０）により取得されたときにおいて、リモートスタートＥＣＵ２３がオーディオＥＣＵ５０に対する給電を禁止する構成を採用してもよい。
【００４６】
言い換えると、オーディオＥＣＵ５０が直接的に車載オーディオ機器６０を制御する構成に代えて、リモートスタートＥＣＵ２３がオーディオＥＣＵ５０に対する給電を禁止することで同リモートスタートＥＣＵ２３が間接的に車載オーディオ機器６０を制御する構成を採用してもよい。
【００４７】
この構成によると、暖機運転開始要求信号（第１の受信信号）が制御手段（リモートスタートＥＣＵ２３、オーディオＥＣＵ５０）により取得されたとき、リモートスタートＥＣＵ２３により暖機運転が開始される。そして、このとき、リモートスタートＥＣＵ２３によりオーディオＥＣＵ５０に対する給電が禁止される。そして、これにより、車載オーディオ機器６０は作動されない。このため、暖機運転中に車載オーディオ機器６０から鳴る音（この場合、鳴らない）が原因で警報器４３から誤って警報が発せられることが確実に回避される。従って、オートアラーム装置２による誤警報を確実に防止することができる。
【００４８】
・言うまでもなく、自動車は、携帯機１０の暖機運転開始スイッチ１１が操作されることで車載エンジンが駆動（暖機運転）されることのみならず、乗車後にエンジン始動操作が行われることでも車載エンジンが駆動（通常運転）される。ここに、前記実施形態のように暖機運転中にあっては車載オーディオ機器６０が作動されないようにする構成において、乗車後にエンジン始動操作が行われたとき、前回の降車時における車載オーディオ機器６０の作動状態を反映させる構成を採用してもよい。
【００４９】
例えば、前回の降車時において車載オーディオ機器６０が作動されたまま車載エンジンが停止されたのであれば、今回の乗車後にエンジン始動操作が行われたとき、車載オーディオ機器６０は作動される。一方、前回の降車時において車載オーディオ機器６０が作動されていない状態で車載エンジンが停止されたのであれば、今回の乗車後にエンジン始動操作が行われたとき、車載オーディオ機器６０は作動されない。
【００５０】
このように構成すると、乗車後にエンジン始動操作が行われた場合のようにユーザが車内に居ることが明らかな状況下において、前回の降車時の状況を再現することでユーザに違和感を与えないというメリットがある。
【００５１】
・或いは、前記実施形態のように暖機運転中にあっては車載オーディオ機器６０が作動されないようにする構成において、乗車後にエンジン始動操作が行われたとき、前回の降車時における車載オーディオ機器６０の作動状態に拘わらず、車載オーディオ機器６０を必ず作動させる構成を採用しても差し支えない。
【００５２】
・或いは、前記実施形態のように暖機運転中にあっては車載オーディオ機器６０が作動されないようにする構成において、乗車後にエンジン始動操作が行われたとき、前回の降車時における車載オーディオ機器６０の作動状態に拘わらず、車載オーディオ機器６０を必ず作動させない構成を採用しても差し支えない。
【図面の簡単な説明】
【００５３】
【図１】エンジンリモートスタートシステムが適用されているとともに、オートアラーム装置が搭載され、さらにオーディオ制御装置が搭載されている本実施形態の自動車の構成を示すブロック図。
【図２】エンジンリモートスタートシステムが適用されているとともに、オートアラーム装置が搭載され、さらにオーディオ制御装置が搭載されている他の実施形態の自動車の構成を示すブロック図。
【図３】エンジンリモートスタートシステムが適用されているとともに、オートアラーム装置が搭載され、さらにオーディオ制御装置が搭載されている他の実施形態の自動車の構成を示すブロック図。
【符号の説明】
【００５４】
２…オートアラーム装置、１０…携帯機（通信端末）、２３…リモートスタートＥＣＵ（オーディオ制御装置、制御手段、暖機運転制御手段）、３０…車載エンジン、４１…侵入センサ（音センサ）、４３…警報器、５０…オーディオＥＣＵ（オーディオ制御装置、制御手段、オーディオ制御手段）、６０…車載オーディオ機器。
【図１】
0004723344.tif 000002
【図２】
0004723344.tif 000003
【図３】
0004723344.tif 000004